(57)【要約】【課題】ファインダー表示の電力消費を低減する。【解決手段】ファインダー視野内に情報を表示する複数の表示器３３，４７を備えた撮影装置であって、所定の情報を表示する第１の表示器３３と、第１の表示器３３とは物理的に無関係に情報を表示する表示器であって、所定情報の内の少なくとも一部の情報を共通に表示する第２の表示器４７との内のいずれかを、被写体輝度の検出値に応じて選択する。【選択図】図１
2008158027.tif 000002
【特許請求の範囲】
【請求項１】
ファインダー視野内に情報を表示する複数の表示手段を備えた撮影装置であって、
所定の情報を表示する第１の表示手段と、
前記第１の表示手段とは物理的に無関係に情報を表示する表示手段であって、前記所定の情報の内の少なくとも一部の情報を共通に表示する第２の表示手段と、
被写体輝度を検出する輝度検出手段と、
前記輝度検出手段による輝度検出値に応じて前記複数の表示手段の内のいずれかを選択する表示選択手段とを備えることを特徴とする撮影装置。
【請求項２】
請求項１に記載の撮影装置において、
前記表示選択手段は、前記輝度検出値と予め設定した基準値とを比較し、比較結果に基づいて前記複数の表示手段の内のいずれかを選択することを特徴とする撮影装置。
【請求項３】
請求項２に記載の撮影装置において、
前記撮影装置に電力を供給するバッテリーの残量を検出する残量検出手段と、
前記残量検出手段によるバッテリーの残量検出値に応じて前記基準値を変更する基準値変更手段とを備えることを特徴とする撮影装置。
【請求項４】
請求項２に記載の撮影装置において、
前記基準値を変更するための基準値変更操作部材を備えることを特徴とする撮影装置。
【請求項５】
請求項１〜４のいずれか１項に記載の撮影装置において、
前記複数の表示手段の中からいずれかを選択するための選択操作部材を設け、前記表示選択手段による選択よりも前記選択操作部材による選択を優先させることを特徴とする撮影装置。
【請求項６】
請求項１〜４のいずれか１項に記載の撮影装置において、
前記第１の表示手段は拡散型液晶により情報を表示し、前記第２の表示手段は透過型液晶を照明部材により照明して情報を表示することを特徴とする撮影装置。
【請求項７】
請求項６に記載の撮影装置において、
前記表示選択手段は、前記輝度検出値が前記基準値以上のときは前記第１の表示手段を選択し、前記輝度検出値が前記基準値未満のときは前記第２の表示手段を選択することを特徴とする撮影装置。
【請求項８】
請求項７に記載の撮影装置において、
前記第１の表示手段と前記第２の表示手段は、撮影レンズにより結像される被写体像に重ね合わせて情報を表示することを特徴とする撮影装置。
【請求項９】
請求項１〜８のいずれか１項に記載の撮影装置において、
前記複数の表示手段は、前記共通に表示する情報を同一の表示形態で表示することを特徴とする撮影装置。
【請求項１０】
請求項１〜８のいずれか１項に記載の撮影装置において、
前記複数の表示手段は、前記共通に表示する情報を互いに異なる表示形態で表示することを特徴とする撮影装置。
【発明の詳細な説明】
【技術分野】
【０００１】
本発明は、各種情報をファインダー視野内に表示する撮影装置に関する。
【背景技術】
【０００２】
撮影レンズによって焦点板上に形成された被写体像を、ペンタプリズム、および撮影光軸に対して互いに異なる角度の２つの光学面を有する複数のプリズムを介してファインダー接眼レンズへ導くとともに、ＬＥＤ光源により照明された透過型液晶により表示されたフォーカスエリアマークを上記プリズムの２つの光学面で反射させて接眼レンズへ導き、被写体像とフォーカスエリアマークを同一のファインダー視野に重ねて表示する、いわゆるスーパーインポーズ表示を行うようにしたファインダー表示装置が知られている（例えば、特許文献１参照）。
また、ペンタプリズムとスクリーンの間に拡散型液晶表示器を配置し、被写体像と重ね合わせて情報を表示するファインダー装置において、被写体像が暗いときは照明装置により拡散型液晶の両側から液晶層を照明することによって、夜景のような暗い場合でも表示セグメントが明るく見えるようにしたファインダー装置が知られている（例えば、特許文献２参照）。
【０００３】
この出願の発明に関連する先行技術文献としては次のものがある。
【特許文献１】特開平１１−２３７６５９号公報、
【特許文献２】特開２００１−３０５５３９号公報
【発明の開示】
【発明が解決しようとする課題】
【０００４】
しかしながら、上述した特許文献１のファインダー表示装置では、視認性はよいが、被写体輝度が高いほどＬＥＤ光源に流す電流を多くして明るく照明しなければならないため、バッテリーの電力消費が増大するという問題がある。一方、上述した特許文献２のファインダー装置では、拡散型液晶（液晶で表示セグメントを拡散して表示する）を使うものであり、被写体輝度が暗いときに拡散部分を照明するものであるため、上述した文献１のようにＬＥＤ光を用いるものと比べると表示輝度が余り上がらず、視認性は思わしくないという問題がある。
【課題を解決するための手段】
【０００５】
本発明は、ファインダー視野内に情報を表示する複数の表示手段を備えた撮影装置であって、所定の情報を表示する第１の表示手段と、第１の表示手段とは物理的に無関係に情報を表示する表示手段であって、前記所定情報の内の少なくとも一部の情報を共通に表示する第２の表示手段との内のいずれかを、被写体輝度の検出値に応じて選択する。
【発明の効果】
【０００６】
本発明によれば、被写体輝度に応じて視認性を低下させることのないファインダー表示手段を選択し、情報を表示することができる。また、このように表示手段を選択できるようにしたことにより、ファインダー表示を行う際に必要以上にバッテリーの電力を消費することもなくなる。
【発明を実施するための最良の形態】
【０００７】
本発明のファインダー表示装置を一眼レフレックス・ディジタルカメラに搭載した一実施の形態を説明する。なお、本発明のファインダー表示装置は、一眼レフレックス・ディジタルカメラに限定されず、各種情報をファインダー視野に重ねて表示するあらゆる種類の撮像装置に適用することができる。
【０００８】
図１は一実施の形態の一眼レフレックス・ディジタルカメラの構成を示し、図２は一実施の形態のカメラの横断面図を示す。なお、図１および図２において、本発明と直接、関係のない機器および回路の図示を省略する。マイクロコンピューター１はＣＰＵやメモリなどの周辺部品を備え、カメラの各種演算と各種シーケンス制御を実行するとともに、後述する制御プログラムを実行してファインダー表示制御を実行する。一実施の形態のカメラはレンズ交換式の例を示し、マイクロコンピューター１は交換レンズに内蔵されるレンズ制御装置（不図示）から開放絞り値、焦点距離、射出瞳などのレンズ情報を入力する。
【０００９】
測光回路２は、測光センサー３により被写体輝度を複数の領域に分割して計測する。露出制御回路４は、測光回路２により検出された被写体輝度と、予め設定された撮像感度とに基づいてシャッター速度と絞り値を演算し、シャッター制御部５と絞り制御部６を制御する。シャッター制御部５は演算結果のシャッター速度となるようにシャッター７を制御し、絞り制御部６は演算結果の絞り値となるように絞り８を制御する。
【００１０】
焦点検出回路１１は、カメラボディ底部に配置される焦点検出用センサー１２から交換レンズ１０の焦点調節状態を示す信号を入力し、位相差検出方式により交換レンズ１０のデフォーカス量を検出する。レンズ駆動回路１３は検出結果のデフォーカス量にしたがって交換レンズ１０のフォーカシングレンズ（不図示）を駆動し、焦点調節を行う。なお、この一実施の形態ではフォーカシングレンズを駆動するモーターを交換レンズ１０に内蔵する例を示すが、カメラボディ内に設置してもよい。モード設定回路１４は、露出、オートフォーカス、画像などの各種撮影モードを設定する。設定操作部材１５はカメラの設定操作を行う操作部材であり、レリーズボタン（不図示）の第１ストロークで閉路する半押しスイッチＳＷ１、レリーズボタンの前述の第１ストロークよりも深い第２ストロークで閉路する全押しスイッチＳＷ２などが含まれる。
【００１１】
温度センサー１６は撮像素子１７の近傍に配置され、撮像素子１７の温度を監視する。撮像素子１７はＣＣＤやＣＭＯＳなどにより構成され、交換レンズ１０により結像された被写体像を撮像して被写体像信号を出力する。Ａ／Ｄ変換回路１８は撮像素子１７から出力される被写体像信号をＡ／Ｄ変換する。タイミング回路１９は、撮像素子１７の撮像タイミングとＡ／Ｄ変換回路１８のＡ／Ｄ変換タイミングを制御する。画像処理制御回路２０は、被写体像データに対してホワイトバランス調整、シャープネス調整、ガンマ補正、階調調整などの画像処理を行うとともに、各色の被写体像データに対して補間処理を行う。なお、撮像素子１７、タイミング回路１９、Ａ／Ｄ変換回路１８、画像処理制御回路２０および温度センサー１６は、撮像素子１７の後方に配置される撮像基板２１上に実装される。
【００１２】
ＳＤＲＡＭ２２は補正後の被写体像データを一時的に記憶し、画像用記録媒体２３は被写体像データと撮影データをまとめて各種ファイル形式で記録する。なお、画像記録媒体２３にはコンパクトフラッシュやＳＤカード、スマートメディアなどを用いることができる。背面液晶制御回路２４は、カメラボディの背面に設けられた背面液晶モニター２５を制御して画像や各種情報を表示する。ファインダー内表示制御回路２６はファインダー内透過型液晶表示器２７とそのバックライト２８を制御し、図３に示すように、ファインダー接眼窓から視認されるファインダー画面２９の下方（図３および後述する図４、図５のＡ）に撮影モード、撮影枚数、シャッター速度、絞り値などの各種撮影情報を表示する。
【００１３】
第１スーパーインポーズ表示制御回路３０は、ファインダー光学系のスクリーン３１とペンタダハプリズム３２との間に配置される第１スーパーインポーズ拡散型液晶表示器３３を制御し、交換レンズ１０によりスクリーン３１上に結像される被写体像に、図３および図４に示す２１カ所のフォーカスエリアマーク３４と、図４に示すクロップ高速参照エリア３５を重ね合わせて表示する、すなわちスーパーインポーズ表示する。なお、フォーカスエリアマーク３４は交換レンズ１０の焦点調節状態を検出するためのエリアであり、クロップ高速参照エリア３５は高速連写時の画面の切り出し範囲を示す。第１スーパーインポーズ拡散型液晶表示器３３による第１スーパーインポーズ表示は、拡散型液晶の表示セグメントにより被写体光を拡散するので、ファインダー接眼窓からファインダー画像を視認したときにエリアマーク３４や高速参照エリア３５が黒く表示される。第１スーパーインポーズ拡散型液晶表示器３３では、本実施の形態においては光源を用いた照明を行わないので後述する第２スーパーインポーズ透過型液晶表示器よりもバッテリーの消費電力が少ない。
【００１４】
なお、図３および図４では、説明のために２１カ所のフォーカスエリアマーク３４をすべて点灯した場合を示すが、フォーカスエリアマーク３４は通常、選択エリアや合焦エリア以外は点灯されないので、ファインダー画面のどこにフォーカスエリアがあるのかを示すために、図３および図４に示すようにスクリーン３１上にフォーカスエリアの存在範囲を表す刻線３６を表示する。
【００１５】
次に、第２のスーパーインポーズ表示について説明する。ファインダー光学系のペンタダハプリズム３２と接眼レンズ４０、４１、４２の間には、ダイクロイックプリズム４３、４４が配置される。ペンタダハプリズム３２とダイクロイックプリズム４３、４４は互いに接着され、ペンタダハプリズム３２とダイクロイックプリズム４３の接着面と、ダイクロイックプリズム４３と４４の接着面は、結像レンズ１０の光軸に対して互いに異なる角度の２つの光学面４３ａ、４４ａを形成する。ダイクロイックプリズム４３、４４の上部には、投影レンズ４５、折り返しミラー４６、第２スーパーインポーズ透過型液晶表示器４７、照明レンズ４８、照明用ＬＥＤ光源４９が配置される。なお、ダイクロイックプリズム４４の射出面上部にはプリズム５１と測光レンズ５２が配置され、これらにより被写体光が測光センサー３へ導かれる。
【００１６】
第２スーパーインポーズ表示制御回路５０は、ダイクロイックプリズム４３、４４の上部に配置される第２スーパーインポーズ透過型液晶表示器４７と照明用ＬＥＤ光源４９を制御し、交換レンズ１０によりスクリーン３１上に結像される被写体像に、図３および図４に示す２１カ所のフォーカスエリアマーク３４を重ね合わせて表示する、すなわちスーパーインポーズ表示する。第２スーパーインポーズ透過型液晶表示器４７はシャッターの機能を有しており、ＬＥＤ光源４９からの赤色光が表示部分を透過して投影レンズ４５により拡大され、さらにダイクロイックプリズム４３、４４の２つの光学面４３ａ、４４ａにより反射されてペンタダハプリズム３２からの被写体像に重ね合わされる。すなわち、フォーカスエリアマーク３４が被写体像にスーパーインポーズ表示される。
【００１７】
なお、第１スーパーインポーズ拡散型液晶表示器３３により表示されるフォーカスエリアマーク３４は上述したように黒色で表示され、第２スーパーインポーズ透過型液晶表示器４７により表示されるフォーカスエリアマーク３４は照明用ＬＥＤ光源４９の色（この実施の形態では赤色）で表示される。第１スーパーインポーズ拡散型液晶表示器３３により表示されるフォーカスエリアマーク３４と、第２スーパーインポーズ透過型液晶表示器４７により表示されるフォーカスエリアマーク３４とは、表示色が異なる以外は同じである。
【００１８】
図２において、交換レンズ１０のレンズ群１０ａ〜１０ｆを透過した被写体光は、その一部がメインミラー５１により反射されてファインダー光学系へ導かれ、スクリーン３１上に結像される。スクリーン３１上に結像された被写体像は、ペンタダハプリズム３２、ダイクロイックプリズム４３、４４、接眼レンズ４１〜４２を透過してファインダー接眼窓へ導かれ、撮影者に視認される。このとき、第１スーパーインポーズ拡散型液晶表示器３３または第２スーパーインポーズ透過型液晶表示器４７によりフォーカスエリアマーク３４が被写体像に重ね合わせてスーパーインポーズ表示される。なお、第１スーパーインポーズ拡散型液晶表示器３３と第２スーパーインポーズ透過型液晶表示器４７とは、互いに物理的に無関係に情報を表示する表示器であるが、一部の情報、この一実施の形態ではフォーカスエリアマーク３４を共通に表示する。ここで、「物理的に無関係」とは、表示する情報を作成して、両者（表示器３３と表示器４７）に共通して用いられるファインダー光学系に、その作成された情報を表示させるための構成が互いに独立した構成状態にあることを示す。
【００１９】
第１スーパーインポーズ拡散型液晶表示器３３と、第２スーパーインポーズ透過型液晶表示器４７のどちらでスーパーインポーズ表示を行うかは、測光センサー３と測光回路２により検出された被写体輝度ＢＶに基づいて決定する。被写体輝度ＢＶを予め設定した判定基準値ＢＶｏと比較し、被写体輝度ＢＶが判定基準値ＢＶｏ以上の場合、つまり被写体輝度ＢＶが高く、明るい被写体の場合は第１スーパーインポーズ拡散型液晶表示器３３を選択する。被写体が明るい場合は、拡散型液晶の表示セグメントにより被写体光を拡散させ、オートフォーカスエリア３４を黒色で表示して被写体像に重ね合わせても、明るい被写体像の中に黒色のエリアマーク３４が浮き出ることになり、容易に視認することができる。しかもこの場合、拡散型液晶は光源による照明を必要としないので、バッテリーの電力消費が少なくて済む。
【００２０】
一方、被写体輝度ＢＶが判定基準値ＢＶｏよりも低い場合、つまり被写体輝度ＢＶが低く、暗い被写体の場合は第２スーパーインポーズ透過型液晶表示器４７を選択する。被写体が暗い場合は、拡散型液晶の表示セグメントにより被写体光を拡散させてエリアマーク３４を黒色で表示すると、暗い被写体像の中でエリアマーク３４を視認するのが困難になり、視認性が悪くなる。そこで、被写体が暗い場合には、透過型液晶の表示セグメントを透過した光で明るくエリアマーク３４を表示することによって、暗い被写体像の中でエリアマーク３４を容易に視認することができ、視認性が良くなる。しかもこの場合、被写体像が暗いので、ＬＥＤ光源４９により透過型液晶を明るく照明しなくてもエリアマーク３４を充分に視認できるから、ＬＥＤ光源４９に流す電流を少なくすることができ、バッテリーの電力消費を最小に抑制することができる。
【００２１】
なお、第１スーパーインポーズ表示と第２スーパーインポーズ表示とを切り換える切換判定基準値ＢＶｏは、種々の輝度の被写体像に対してエリアマーク３４を第１と第２のスーパーインポーズ表示しながら視認性を確認し、最適値を決定すればよい。
【００２２】
また、図２において、交換レンズ１０のレンズ群１０ａ〜１０ｆを透過した被写体光は、その一部がメインミラー５１を透過しサブミラー５２により反射されて焦点検出センサー１２へ導かれる。焦点検出センサー１２は、周知の位相差検出方式によりフォーカスエリアマーク３４の位置において交換レンズ１０の焦点調節状態、すなわちデフォーカス量を検出する。そして、２１カ所のフォーカスエリアの中から所定のアルゴリズムにより最終的にフォーカス検出すべきフォーカスエリアを選択し、図５に示すように選択したフォーカスエリアＢを第１または第２のスーパーインポーズにより表示する。
【００２３】
さらに、図２において、撮影時にはメインミラー５１とサブミラー５２が結像レンズ１０の撮影光路から退避され、被写体光はシャッター７、ローパスフィルター５３を介して撮像素子１７へ導かれ、撮像素子１７上に結像される。
【００２４】
図６は一実施の形態の撮像動作を示すフローチャートである。このフローチャートにより、一実施の形態の動作を説明する。マイクロコンピューター１は、ステップ１においてレリーズボタンの半押しスイッチＳＷ１がオンすると撮像動作を開始する。ステップ２で測光回路２により測光を行って被写体輝度ＢＶを検出するとともに、露出制御回路４により露出演算を行ってシャッター速度と絞り値を決定する。
【００２５】
ステップ３において被写体輝度ＢＶを上述した判定基準値ＢＶｏと比較する。被写体輝度ＢＶが判定基準値ＢＶｏ以上で被写体が明るい場合はステップ４へ進み、第１スーパーインポーズ拡散型液晶表示器３３による表示を選択する。一方、被写体輝度ＢＶが判定基準値ＢＶｏ未満で被写体が暗い場合はステップ５へ進み、第２スーパーインポーズ透過型液晶表示器４７による表示を選択する。ステップ６では選択されたスーパーインポーズ方式でフォーカスエリアマーク３４を表示する。
【００２６】
ステップ７でレリーズボタンの全押しスイッチＳＷ２がオンしているか否かを判別し、オンしていればステップ２へ進み、そうでなければステップ９へ進む。全押しスイッチＳＷ２がオンしていない場合は、ステップ９で半押しスイッチＳＷ１がオンしているか否かを判別する。半押しスイッチＳＷ１がオフしている場合は処理を終了し、半押しスイッチＳＷ１がオンしている場合はステップ７へ戻って全押しスイッチＳＷ２のオンを判別する。
【００２７】
全押しスイッチＳＷ２がオンした場合は、ステップ８でメインミラー５１とサブミラー５２を撮影光路から退避させる（ミラーアップ）とともに、不図示のアクチュエーターにより絞り８を演算結果の絞り値に設定する。続くステップ１０でシャッター７の先幕（不図示）の係止を解除して走行させ、シャッター７を開放する。ステップ１１において演算結果のシャッター速度に応じた所定時間の経過を待ち、所定時間経過後にステップ１２へ進む。ステップ１２ではシャッター７の後幕（不図示）の係止を解除して走行させ、シャッター７を遮光状態にする。ステップ１３でミラーダウンと絞りリセットを行い、続くステップ１４でシャッターチャージを行う。
【００２８】
一方、ステップ１０でシャッター７を開放した後、ステップ１５〜１７の撮像動作が平行して実行される。すなわち、ステップ１５で撮像素子１７の電荷蓄積を行い、続くステップ１６で蓄積電荷を読み出してＡ／Ｄ変換回路１８へ転送する。その後、ステップ１７で画像処理制御回路２０により上述したような各種画像処理を実行する。
【００２９】
このように、一実施の形態によれば、被写体輝度を検出し、被写体輝度に応じて複数のファインダー表示器の中からいずれかを選択するようにした。具体的には、ファインダー表示器として、拡散型液晶により所定の情報を表示する第１スーパーインポーズ表示器３３と、透過型液晶を照明部材により照明して第１スーパーインポーズ表示器３３とは物理的に無関係に情報を表示する表示器であって、所定の情報の内の一部の情報を共通に表示する第２スーパーインポーズ表示器４７とを備え、被写体輝度と予め設定した判定基準値とを比較し、被写体輝度が判定基準値以上のときは第１スーパーインポーズ表示器３３を選択し、被写体輝度が判定基準値未満のときは第２スーパーインポーズ表示器４７を選択するようにしたので、被写体輝度に応じてバッテリーの電力消費が最小となるファインダー表示器を選択し、情報を表示することができる。
【００３０】
なお、上述した一実施の形態では、被写体輝度ＢＶを予め設定した判定基準値ＢＶｏと比較した結果に基づいて第１スーパーインポーズ表示か、または第２スーパーインポーズ表示かを自動選択する例を示した。被写体輝度ＢＶが低く被写体が暗い場合に限って第２スーパーインポーズ表示を選択するので、従来のように被写体輝度がどのような状態にあっても第２スーパーインポーズ表示を行う場合に比べ、透過型液晶を照明する光源の電力消費は低くなる。しかし、第１スーパーインポーズ表示に比べると第２スーパーインポーズ表示は電力を消費するため、カメラのバッテリーの残量が低い場合には、ファインダー画像の中のフォーカスエリアマークを視認できる限り、第１スーパーインポーズ表示を行うことが望ましい。
【００３１】
そこで、バッテリー残量検出回路５１（図１参照）によりバッテリー残量を検出し、第１スーパーインポーズ表示か、または第２スーパーインポーズ表示かを選択するための判定基準値ＢＶｏを、バッテリー残量に応じて変更する。すなわち、バッテリー残量が予め設定した量以下になったら、バッテリー残量が少なくなるほど被写体輝度の判定基準値ＢＶｏを低くし、第１スーパーインポーズ表示が選択されやすくする。これにより、バッテリー残量が少ない場合には、ファインダー画像上のフォーカスエリアマークの視認性が多少低下するものの、バッテリー残量低下により撮影が中断されるのを防止できる。なお、判定基準値ＢＶｏは、バッテリー残量に応じて連続的に変えてもよいし、不連続（段階的）に変えてもよい。また、バッテリー残量は、バッテリーの両端電圧を測定し、予め記憶した残量−電圧データを参照して検出すればよい。あるいは、ＳＯＣ(State of chage)検出装置を設けてより正確なバッテリー残量を検出してもよい。あるいは、バッテリー残量によって、第１のスーパーインポーズ表示と第２のスーパーインポーズ表示の選択基準である判定基準値ＢＶｏを変えるのではなく、第２のスーパーインポーズ表示の表示輝度（換言すればＬＥＤ光源４９に流す電流量）を変えるようにしてもよい。例えば、被写体輝度は暗いので第２のスーパーインポーズ表示が選択されているのだが、バッテリー残量が少ないという場合には、第２のスーパーインポーズ表示に使用されるＬＥＤ光源４９へ流す電流を少なくする。この場合において、ＬＥＤ光源４９に流す電流の量は、バッテリー残量に応じて連続的に変えてもよいし、段階的（不連続）に変えてもよい。
【００３２】
また、第２スーパーインポーズ表示は、ファインダー画像の中に明るいフォーカスエリアマークが表示されるので、主要被写体画像の視認性が低下することがあり、撮影者によっては第１スーパーインポーズ表示を好む場合がある。そこで、カメラにファインダー画像のスーパーインポーズ表示方式を選択するためのセレクタースイッチ（図１に示す設定操作部材１５に含まれる）を設け、上述した一実施の形態の自動選択結果によらず、第１スーパーインポーズ表示と第２スーパーインポーズ表示のいずれかを撮影者が任意に選択可能としてもよい。あるいは、上述した被写体輝度の判定基準値ＢＶｏを可変にするための操作部材をカメラに設け、撮影者が任意に設定できるようにしてもよい。
なお、上記実施の形態においては、第１スーパーインポーズ拡散型液晶表示器３３では、光源を用いた照明を行わないものとして説明したが、前述の特許文献２に記載されているようにＬＥＤなどからなる光源を使って表示できるように構成しておいてもよい。すなわち、この光源からの照明光を拡散型液晶表示器３３の端面から入射させて表示器３３の液晶層を表示せしめるように構成しておいてもよい。そしてこの場合において、被写体輝度が暗かった場合には、この光源と第１スーパーインポーズ拡散型表示器３３とを用いた表示を行うか、あるいは上述したの第２のスーパーインポーズ透過型液晶表示器４７を用いた表示を行うか、を選択できるようにしておく。この選択自体は、カメラを使用者が初期設定する際などにおいて、使用者が任意に切り換え設定できるようにしておけばよい。あるいはこの選択を、カメラ側で自動で行うように構成してもよい。例えば上記の光源を用いた第１のスーパーインポーズ表示と第２のスーパーインポーズ表示との間での表示状態（例えばＡＦエリアなどの、表示されるべき表示要素のコントラストなど）を比較し、視認性がよいとカメラが判断した方（例えばコントラスト値の大きい方）を自動的に選択することが考えられる。あるいはバッテリー残量に鑑みて、バッテリー残量が所定基準量よりも少ないと判断すれば、上記の光源を用いた第１のスーパーインポーズ表示の方を自動選択することも考えられる。また既述したような手法と同様に、この場合の光源（ＬＥＤ）に流す電流も、バッテリー残量によって変えられるようにしておいてもよい。
【００３３】
上述した一実施の形態では、ファインダー視野内に情報を表示する複数の表示手段として、第１スーパーインポーズ拡散型液晶表示器３３と第２スーパーインポーズ透過型液晶表示器４７を例に上げて説明したが、ファインダー視野内に情報表示する表示手段は上述した一実施の形態の表示手段に限定されない。複数の表示手段の中に、被写体輝度が高い場合に視認可能な表示手段と、被写体輝度が低い場合に視認可能な表示手段とが含まれていればよい。そして、これらの複数の表示手段において、同一の情報を同一の表示形態で表示してもよいし、同一の情報を表示手段ごとにそれぞれ異なる表示形態で表示してもよい。
例えば、ファインダー視野内にフォーカスエリア情報を表示する複数の表示手段として、ファインダー画像にフォーカスエリアマークをスーパーインポーズ表示する第１スーパーインポーズ拡散型液晶表示器３３と、ファインダー画面２９の下側に撮影情報を表示するファインダー内透過型液晶表示器２７およびバックライト２８とを組み合わせてもよい。この場合には、後者のファインダー内透過型液晶表示器２７に、ファインダー画面を示す枠とその枠内にフォーカスエリア位置を示す“点”を表示したり、あるいは“左”、“右”、“中央”、“上”、“下”などのフォーカスエリア位置を示す文字を表示してもよい。
【００３４】
また、スーパーインポーズ表示する情報は、上述した一実施の形態のフォーカスエリアマークや高速参照エリアに限定されない。さらにまた、複数の表示器により共通に表示する情報は上述したフォーカスエリアマークに限定されない。
【図面の簡単な説明】
【００３５】
【図１】一実施の形態のカメラの構成を示す図
【図２】一実施の形態のカメラの横断面図
【図３】ファインダー画像にフォーカスエリアマークをスーパーインポーズ表示した例を示す図
【図４】ファインダー画像にフォーカスエリアマークとクロップ高速参照エリアをスーパーインポーズ表示した例を示す図
【図５】ファインダー画像に選択フォーカスエリアマークをスーパーインポーズ表示した例を示す図
【図６】一実施の形態の動作を示すフローチャート
【符号の説明】
【００３６】
１  マイクロコンピューター
２  測光回路
３  測光センサー
２６  ファインダー内表示制御回路
２７  ファインダー内透過型液晶表示器
３０  第１スーパーインポーズ表示制御回路
３３  第１スーパーインポーズ拡散型液晶表示器
４７  第２スーパーインポーズ透過型液晶表示器
４９  照明用ＬＥＤ光源
５０  第２スーパーインポーズ表示制御回路
【図１】
2008158027.tif 000003
【図２】
2008158027.tif 000004
【図３】
2008158027.tif 000005
【図４】
2008158027.tif 000006
【図５】
2008158027.tif 000007
【図６】
2008158027.tif 000008